(57)【要約】【課題】適切な紙幣補充タイミング及び紙幣回収タイミングを把握することができる出金可能枚数・入金可能枚数管理方法、現金自動取引装置出金可能枚数・入金可能枚数管理プログラム、及び記録媒体を提供する。【解決手段】金種スタッカ内の出金可能枚数、リジェクトスタッカ内の出金可能枚数、及び入金可能枚数を正確に把握することが可能となる。これにより、より適切な補充タイミング及び回収（又は金庫交換）のタイミングを把握でき、長時間稼働(サービス向上)＋警送回数の減少(運用コスト減)を行うことができる。【選択図】図１
2008071277.tif 000002
【特許請求の範囲】
【請求項１】
顧客が紙幣を投入した紙幣のうち良紙幣を収納する金種スタッカと、
前記顧客が投入した紙幣のうち不良紙幣を収納するリジェクトスタッカと、
前記顧客が投入した紙幣の枚数から前記金種スタッカに収納された枚数を差し引いた数を前記リジェクトスタッカに収納された紙幣の枚数とする認識部とを備えたことを特徴とする紙幣処理装置。
【請求項２】
前記認識部は、前記金種スタッカから紙幣が正常に繰り出され、かつ重送が発生した時、前記金種スタッカ内の紙幣枚数から正常繰り出し枚数を差し引き、さらに重送回数と係数との積を差し引いた数を前記金種スタッカ内の残量とするようにしたことを特徴とする請求項１記載の紙幣処理装置。
【請求項３】
顧客が紙幣を投入した紙幣のうち良紙幣を収納する金種スタッカと、
前記顧客が投入した紙幣のうち不良紙幣を収納するリジェクトスタッカと、
紙幣の枚数が管封券での所定枚数を超えると紙幣の枚数を検知するセンサと、
紙幣の厚みが増すことにより前記所定枚数を超えると、前記金種スタッカの最大容量から前記センサの位置に対応する管封券での枚数を差し引き、前記金種スタッカ内の紙幣の枚数で割った値を厚み補正係数とし、前記金種スタッカの最大容量から前記金種スタッカ内の紙幣枚数と前記補正係数との積を差し引いた値を入金可能枚数とする認識部とを備えたことを特徴とする紙幣処理装置。
【請求項４】
請求項１から３の何れか１項記載の紙幣処理装置と、前記紙幣処理装置の入出金状況を把握する制御装置とを備えたことを特徴とする現金自動取引装置。
【請求項５】
顧客が紙幣を投入した際、良紙幣を金種スタッカに収納し、不良紙幣をリジェクトスタッカに収納し、顧客投入枚数から金種スタッカ収納枚数を差し引いた数をリジェクトスタッカ収納枚数とすることを特徴とする紙幣処理方法。
【請求項６】
前記金種スタッカから紙幣が正常に繰り出され、かつ重送が発生した時、前記金種スタッカ内の紙幣枚数から正常繰り出し枚数を差し引き、さらに重送回数と係数との積を差し引いた数を前記金種スタッカ内の残量とすることを特徴とする請求項５に記載の紙幣処理方法。
【請求項７】
顧客が紙幣を投入した紙幣のうち良紙幣を金種スタッカに収納させ、
前記顧客が投入した紙幣のうち不良紙幣をリジェクトスタッカに収納させ、
紙幣の枚数が管封券での所定枚数を超えると紙幣の枚数をセンサで検知させ、
紙幣の厚みが増すことにより管封券での所定枚数を超えると、前記金種スタッカの最大容量から前記センサの位置に対応する管封券での枚数を差し引き、前記金種スタッカ内の紙幣の枚数で割った値を厚み補正係数とし、前記金種スタッカの最大容量から前記金種スタッカ内の紙幣の枚数と前記補正係数との積を差し引いた値を入金可能枚数とすることを特徴とする紙幣処理方法。
【請求項８】
請求項５から７の何れか１項記載の紙幣処理方法を用いて前記紙幣の入出金状況を管理することを特徴とする現金自動取引方法。
【請求項９】
実質的なコンピュータに、
顧客が紙幣を投入した際、良紙幣を金種スタッカに収納させる処理、不良紙幣をリジェクトスタッカに収納させる処理、顧客投入枚数から金種スタッカ収納枚数を差し引いた数をリジェクトスタッカ収納枚数とする処理を実行させることを特徴とする紙幣処理プログラム。
【請求項１０】
前記金種スタッカから紙幣が正常に繰り出され、かつ重送が発生した時、実質的なコンピュータに、
前記金種スタッカ内の紙幣枚数から正常繰り出し枚数を差し引き、さらに重送回数と係数との積を差し引いた数を前記金種スタッカ内の残量とする処理を実行させることを特徴とする請求項７に記載の紙幣処理プログラム。
【請求項１１】
実質的なコンピュータに、
顧客が紙幣を投入した紙幣のうち良紙幣を金種スタッカに収納させる処理、
前記顧客が投入した紙幣のうち不良紙幣をリジェクトスタッカに収納させる処理、
紙幣の枚数が管封券での所定枚数を超えると紙幣の枚数をセンサで検知させる処理、
紙幣の厚みが増すことにより管封券での所定枚数を超えると、前記金種スタッカの最大容量から前記センサの位置に対応する管封券での枚数を差し引き、前記金種スタッカ内の紙幣の枚数で割った値を厚み補正係数とし、前記金種スタッカの最大容量から前記金種スタッカ内の紙幣の枚数と前記補正係数との積を差し引いた値を入金可能枚数とする処理を実行させることを特徴とする紙幣処理プログラム。
【請求項１２】
請求項９から１１の何れか１項記載の紙幣処理プログラムを用いて前記紙幣の入出金状況を管理する処理を前記実質的なコンピュータに実行させることを特徴とする現金自動取引プログラム。
【請求項１３】
請求項９から１２のいずれか１項記載のプログラムを記録したことを特徴とする記録媒体。
【発明の詳細な説明】
【技術分野】
【０００１】
本発明は、紙幣処理装置、現金自動取引装置、紙幣処理方法、現金自動取引方法、プログラム、及び記録媒体に関する。
【背景技術】
【０００２】
近年、公共料金の自動支払い、預貯金処理、給与振込、ローン引き落としなど現金自動取引装置が各地で多用されている。この種の現金自動取引装置は、分離機構の各分離出口に、重送（２枚以上同時に繰出されてしまうケース）を検知する重送検知器を設けて、重送を検知した場合は、該当紙幣を分離される前の元の収納部へ返却して、重送紙幣を通常の紙幣搬送路へ送り出さないようにするもの（例えば、特許文献１参照。）や、保有紙幣の厚さを計量するセンサと、センサが所定限界値を検知したとき紙幣を計数する制御手段若しくは紙幣収納部から紙幣払い出し部への紙幣移送に伴い紙幣収納部が空になったとき紙幣を計数する制御手段を備えるもの（例えば、特許文献２参照）等がある。
【特許文献１】特開平６−９１０８号公報
【特許文献２】特開平４−２０５０９０号公報
【発明の開示】
【発明が解決しようとする課題】
【０００３】
しかしながら、従来の現金自動取引装置では、スタッカ（金庫）内の紙幣枚数・厚みを詳細に管理することができなかった。
そのため、紙幣補充または紙幣回収（スタッカ（金庫）を交換することにより補充／回収を実施する運用化では金庫交換）のタイミングに誤差が生じていた。
紙幣の枚数を詳細に管理できなかった理由には以下の(1)〜(3)の３点が挙げられる。
(1)リジェクト収納された紙幣枚数の判断は、センサ通過枚数で実施していた。このため、同時に２枚以上収納された場合に詳細な枚数を判定できない。その結果、リジェクトスタッカ内の枚数詳細が判定できない。
【０００４】
(2)繰出時（出金紙幣）に重送で、リジェクトスタッカに紙幣が収納されるケースでは、(1)と同様に詳細な枚数を判定できない。このため、繰出したスタッカ（金庫）内、リジェクトスタッカ内、双方の枚数詳細が判定できない。
【０００５】
(3)従来、スタッカ（金庫）内にあと何枚紙幣を収納出来るか（入金可能枚数）については一定ポイントに設置されたセンサに到達しているかどうかで判定していた。スタッカ（金庫）内の枚数で入金可能枚数を判定せず、センサで実施している理由は、流通している紙幣はそれぞれ厚みが違い、一概に枚数でスタッカ（金庫）内の残容量を把握できないためである。その結果、センサ位置があと１００枚収納できる位置にあった場合、そのポイントでの入金可能枚数は判断出来るが、その前後での収納可能枚数は判定できない。
【０００６】
そこで、本発明の目的は、適切な紙幣補充タイミング及び紙幣回収タイミングを把握することができる紙幣処理装置、現金自動取引装置、紙幣処理方法、現金自動取引方法、プログラム、及び記録媒体を提供することにある。
【課題を解決するための手段】
【０００７】
上記課題を解決するため、請求項１記載の発明は、請求項１記載の発明は、顧客が紙幣を投入した紙幣のうち良紙幣を収納する金種スタッカと、前記顧客が投入した紙幣のうち不良紙幣を収納するリジェクトスタッカと、前記顧客が投入した紙幣の枚数から前記金種スタッカに収納された枚数を差し引いた数を前記リジェクトスタッカに収納された紙幣の枚数とする制御部とを備えたことを特徴とする。
【０００８】
請求項１記載の発明によれば、金種スタッカが顧客の投入した紙幣のうち良紙幣を収納し、リジェクトスタッカが顧客の投入した紙幣のうち不良紙幣を収納し、制御部が顧客の投入した紙幣の枚数から金種スタッカに収納された枚数を差し引いた数をリジェクトスタッカに収納された紙幣の枚数とすることにより、適切な紙幣補充タイミング及び紙幣回収タイミングを把握することができる。
【０００９】
請求項２記載の発明は、請求項１記載の発明において、前記制御部は、前記金種スタッカから紙幣が正常に繰り出され、かつ重送が発生した時、前記金種スタッカ内の紙幣枚数から正常繰り出し枚数を差し引き、さらに重送回数と係数との積を差し引いた数を前記金種スタッカ内の残量とするようにしたことを特徴とする。
【００１０】
請求項２記載の発明によれば、制御部は、金種スタッカから紙幣が正常に繰り出され、かつ重送が発生した時、金種スタッカ内の紙幣枚数から正常繰り出し枚数を差し引き、さらに重送回数と係数との積を差し引いた数を金種スタッカ内の残量とすることにより、適切な紙幣補充タイミング及び紙幣回収タイミングを把握することができる。
【００１１】
請求項３記載の発明は、顧客が紙幣を投入した紙幣のうち良紙幣を収納する金種スタッカと、前記顧客が投入した紙幣のうち不良紙幣を収納するリジェクトスタッカと、紙幣の枚数が管封券での所定枚数を超えると紙幣の枚数を検知するセンサと、紙幣の厚みが増すことにより前記所定枚数を超えると、前記金種スタッカの最大容量から前記センサの位置に対応する管封券での枚数を差し引き、前記金種スタッカ内の紙幣の枚数で割った値を厚み補正係数とし、前記金種スタッカの最大容量から前記金種スタッカ内の紙幣枚数と前記補正係数との積を差し引いた値を入金可能枚数とする制御部とを備えたことを特徴とする。
【００１２】
請求項３記載の発明によれば、金種スタッカが顧客の紙幣を投入した紙幣のうち良紙幣を収納し、リジェクトスタッカが顧客の投入した紙幣のうち不良紙幣を収納し、センサが、紙幣の枚数が管封券での所定枚数を超えると紙幣の枚数を検知し、制御部が、紙幣の厚みが増すことにより所定枚数を超えると、金種スタッカの最大容量からセンサの位置に対応する管封券での枚数を差し引き、金種スタッカ内の紙幣の枚数で割った値を厚み補正係数とし、金種スタッカの最大容量から金種スタッカ内の紙幣枚数と補正係数との積を差し引いた値を入金可能枚数とすることにより、適切な紙幣補充タイミング及び紙幣回収タイミングを把握することができる。
【００１３】
請求項４記載の発明は、請求項１から３の何れか１項記載の紙幣処理装置と、前記紙幣処理装置の入出金状況を把握する制御装置とを備えたことを特徴とする。
【００１４】
請求項４記載の発明によれば、適切な紙幣補充タイミング及び紙幣回収タイミングを把握することができる。
【００１５】
請求項５記載の発明は、顧客が紙幣を投入した際、良紙幣を金種スタッカに収納し、不良紙幣をリジェクトスタッカに収納し、顧客投入枚数から金種スタッカ収納枚数を差し引いた数をリジェクトスタッカ収納枚数とすることを特徴とする。
【００１６】
請求項５記載の発明によれば、顧客が紙幣を投入した際、良紙幣を金種スタッカに収納し、不良紙幣をリジェクトスタッカに収納し、顧客投入枚数から金種スタッカ収納枚数を差し引いた数をリジェクトスタッカ収納枚数とすることにより、良紙幣と不良紙幣とを仕分けした上でリジェクトスタッカ収納枚数を把握するので、適切な紙幣補充タイミング及び紙幣回収タイミングを把握することができる。
【００１７】
請求項６記載の発明は、請求項５記載の発明において、前記金種スタッカから紙幣が正常に繰り出され、かつ重送が発生した時、前記金種スタッカ内の紙幣枚数から正常繰り出し枚数を差し引き、さらに重送回数と係数との積を差し引いた数を前記金種スタッカ内の残量とすることを特徴とする。
【００１８】
請求項６記載の発明によれば、金種スタッカから紙幣が正常に繰り出され、かつ重送が発生した時、金種スタッカ内の紙幣枚数から正常繰り出し枚数を差し引き、さらに重送回数と係数との積を差し引いた数を金種スタッカ内の残量とすることにより、良紙幣と不良紙幣とを仕分けした上でリジェクトスタッカ収納枚数を把握するので、適切な紙幣補充タイミング及び紙幣回収タイミングを把握することができる。
【００１９】
請求項７記載の発明は、顧客が紙幣を投入した紙幣のうち良紙幣を金種スタッカに収納させ、前記顧客が投入した紙幣のうち不良紙幣をリジェクトスタッカに収納させ、紙幣の枚数が管封券での所定枚数を超えると紙幣の枚数をセンサで検知させ、紙幣の厚みが増すことにより管封券での所定枚数を超えると、前記金種スタッカの最大容量から前記センサの位置に対応する管封券での枚数を差し引き、前記金種スタッカ内の紙幣の枚数で割った値を厚み補正係数とし、前記金種スタッカの最大容量から前記金種スタッカ内の紙幣の枚数と前記補正係数との積を差し引いた値を入金可能枚数とすることを特徴とする。
【００２０】
請求項７記載の発明によれば、顧客が紙幣を投入した紙幣のうち良紙幣を金種スタッカに収納させ、顧客が投入した紙幣のうち不良紙幣をリジェクトスタッカに収納させ、紙幣の枚数が管封券での所定枚数を超えると紙幣の枚数をセンサで検知させ、紙幣の厚みが増すことにより管封券での所定枚数を超えると、金種スタッカの最大容量からセンサの位置に対応する管封券での枚数を差し引き、金種スタッカ内の紙幣の枚数で割った値を厚み補正係数とし、金種スタッカの最大容量から金種スタッカ内の紙幣の枚数と補正係数との積を差し引いた値を入金可能枚数とすることにより、良紙幣と不良紙幣とを仕分けした上でリジェクトスタッカ収納枚数を把握するので、適切な紙幣補充タイミング及び紙幣回収タイミングを把握することができる。
【００２１】
請求項８記載の発明は、請求項５から７の何れか１項記載の紙幣処理方法を用いて前記紙幣の入出金状況を管理することを特徴とする。
【００２２】
請求項８記載の発明によれば、適切な紙幣補充タイミング及び紙幣回収タイミングを把握することができる。
【００２３】
請求項９記載の発明は、実質的なコンピュータに、顧客が紙幣を投入した際、良紙幣を金種スタッカに収納させる処理、不良紙幣をリジェクトスタッカに収納させる処理、顧客投入枚数から金種スタッカ収納枚数を差し引いた数をリジェクトスタッカ収納枚数とする処理を実行させることを特徴とする。
【００２４】
請求項９記載の発明によれば、実質的なコンピュータに、顧客が紙幣を投入した際、良紙幣を金種スタッカに収納させる処理、不良紙幣をリジェクトスタッカに収納させる処理、顧客投入枚数から金種スタッカ収納枚数を差し引いた数をリジェクトスタッカ収納枚数とする処理を実行させることにより、実質的なコンピュータに、顧客が紙幣を投入した際、良紙幣を金種スタッカに収納させる処理、不良紙幣をリジェクトスタッカに収納させる処理、顧客投入枚数から金種スタッカ収納枚数を差し引いた数をリジェクトスタッカ収納枚数とする処理を実行させることにより、良紙幣と不良紙幣とを仕分けした上でリジェクトスタッカ収納枚数を把握するので、適切な紙幣補充タイミング及び紙幣回収タイミングを把握することができる。
【００２５】
請求項１０記載の発明は、請求項９記載の発明において、前記金種スタッカから紙幣が正常に繰り出され、かつ重送が発生した時、実質的なコンピュータに、前記金種スタッカ内の紙幣枚数から正常繰り出し枚数を差し引き、さらに重送回数と係数との積を差し引いた数を前記金種スタッカ内の残量とする処理を実行させることを特徴とする。
【００２６】
請求項１０記載の発明によれば、前記金種スタッカから紙幣が正常に繰り出され、かつ重送が発生した時、実質的なコンピュータに、前記金種スタッカ内の紙幣枚数から正常繰り出し枚数を差し引き、さらに重送回数と係数との積を差し引いた数を前記金種スタッカ内の残量とする処理を実行させることにより、良紙幣と不良紙幣とを仕分けした上でリジェクトスタッカ収納枚数を把握するので、適切な紙幣補充タイミング及び紙幣回収タイミングを把握することができる。
【００２７】
請求項１１記載の発明は、実質的なコンピュータに、顧客が紙幣を投入した紙幣のうち良紙幣を金種スタッカに収納させる処理、前記顧客が投入した紙幣のうち不良紙幣をリジェクトスタッカに収納させる処理、  紙幣の枚数が管封券での所定枚数を超えると紙幣の枚数をセンサで検知させる処理、紙幣の厚みが増すことにより管封券での所定枚数を超えると、前記金種スタッカの最大容量から前記センサの位置に対応する管封券での枚数を差し引き、前記金種スタッカ内の紙幣の枚数で割った値を厚み補正係数とし、前記金種スタッカの最大容量から前記金種スタッカ内の紙幣の枚数と前記補正係数との積を差し引いた値を入金可能枚数とする処理を実行させることを特徴とする。
【００２８】
請求項１１記載の発明によれば、実質的なコンピュータに、顧客が紙幣を投入した紙幣のうち良紙幣を金種スタッカに収納させる処理、顧客が投入した紙幣のうち不良紙幣をリジェクトスタッカに収納させる処理、紙幣の枚数が管封券での所定枚数を超えると紙幣の枚数をセンサで検知させる処理、紙幣の厚みが増すことにより管封券での所定枚数を超えると、金種スタッカの最大容量からセンサの位置に対応する管封券での枚数を差し引き、金種スタッカ内の紙幣の枚数で割った値を厚み補正係数とし、金種スタッカの最大容量から金種スタッカ内の紙幣の枚数と補正係数との積を差し引いた値を入金可能枚数とする処理を実行させることにより、良紙幣と不良紙幣とを仕分けした上でリジェクトスタッカ収納枚数を把握するので、適切な紙幣補充タイミング及び紙幣回収タイミングを把握することができる。
【００２９】
請求項１２記載の発明は、請求項９から１１の何れか１項記載の紙幣処理プログラムを用いて前記紙幣の入出金状況を管理する処理を前記実質的なコンピュータに実行させることを特徴とする。
【００３０】
請求項１２記載の発明によれば、適切な紙幣補充タイミング及び紙幣回収タイミングを把握することができる。
【００３１】
請求項１３記載の発明は、請求項９から１２のいずれか１項記載の紙幣処理プログラムを記録したことを特徴とする。
【００３２】
請求項１３記載の発明によれば、請求項９から１２のいずれか１項記載の紙幣処理プログラムを記録したことにより、良紙幣と不良紙幣とを仕分けした上でリジェクトスタッカ収納枚数を把握するので、適切な紙幣補充タイミング及び紙幣回収タイミングを把握することができる。
【００３３】
すなわち、本発明による解決手段は、以下の通りである。
ソフトウエア上で入金可能枚数・出金可能枚数を判定することにより、より適切な紙幣補充または紙幣回収タイミングを把握する。
(1) 顧客が投入した紙幣枚数とスタッカ（金庫）に収納された枚数は正確に把握できる。把握出来ないのは、リジェクトスタッカに収納された枚数のみ。よって、リジェクトスタッカに収納された枚数は、センサ通過回数で把握するのではなく、「リジェクトスタッカに収納された枚数＝顧客が投入した紙幣枚数−スタッカ（金庫）に収納された枚数」として計算される。
【００３４】
(2)正しく、スタッカ（金庫）から一枚づつ繰出された枚数と重送の回数は把握できる。ここで重送された回数を枚数に変換する係数を統計上から算出することでより正確な繰出したスタッカ（金庫）内、リジェクトスタッカ内の枚数を把握する。
【００３５】
(3)センサに到達した段階で、スタッカ（金庫）内の紙幣枚数が何枚あったかが判定できる。
この時、紙幣枚数から算出した入金可能枚数（スタッカ容量−スタッカ内紙幣枚数）とセンサによる入金可能枚数の比率により、スタッカ内にある紙幣の厚さの程度が分かる。この厚さの程度を今後、収納される紙幣にも係数として掛けることにより、より正確な入金可能枚数を判定する。
【発明の効果】
【００３６】
本発明によれば、金種スタッカ内の出金可能枚数、リジェクトスタッカ内の出金可能枚数、及び入金可能枚数を正確に把握することが可能となる。これにより、より適切な補充タイミング及び回収（又は金庫交換）のタイミングを把握でき、長時間稼働(サービス向上)＋警送回数の減少(運用コスト減)を行うことができる。
【発明を実施するための最良の形態】
【００３７】
次に本発明の実施の形態について述べる。
〔発明の特徴〕
無人運用している現金自動取引装置に関して、スタッカ（金庫）内の紙幣枚数・厚みをソフト的に管理することにより出金可能枚数・入金可能枚数を算出する。主たる計算は以下の通りである。
（α） 枚数判断方式
・ 現金収納時（入金紙幣・出金取り忘れ紙幣）のリジェクトスタッカ収納枚数計算
・ 現金繰出時（出金紙幣）のリジェクトスタッカ収納枚数計算
（β） 厚み判断方式
ニアフルセンサ反応時の厚み補正計算
【００３８】
（構  成）
図１は、本発明に係る紙幣処理方法を適用した紙幣処理装置の一実施の形態を示す構成図であり、収納時、万券スタッカに１枚、リジェクトスタッカに２枚の紙幣が入る状態を示す。図２は、図１に示した紙幣処理装置の出金時、万券スタッカから正常に３枚繰り出され、１回重送があった状態を示す。図３は、図１に示した紙幣処理装置のスタッカのセンサを紙幣が通過する様子を示す図である。図４は、図１に示した紙幣処理装置を用いた現金自動取引装置と管理センターとの関係を示す図である。
【００３９】
図１に示す紙幣処理部１０は、一時保留部１１、接客部１２、認識部１３、ＲＪ券スタッカ１４、千券スタッカ１５、及び万券スタッカ１６で構成される。
一時保留部１１は、紙幣を一時的に保留する装置であり、例えば搬送手段（図示しないピンチローラ列）と、トレイ（図示せず）とで構成される。
接客部１２は、顧客が入金（預け入れ）、出金（払い出し）、振込、残高照会、両替等の操作を行うボタン、現金を、投入／取り出しするための開閉式入出金部、金額、振込先、処理状況を表示する表示部、処理状況、説明、警告音の音声を放音する放音部で構成される（いずれも図示略）。
認識部１３は、顧客が入力した暗証番号の確認、顧客の指示の確認、入出金すべき金額の確認、振込先の確認、残高の確認等を行う。
【００４０】
千券スタッカ１５は、千券（千円札）を収納（入金）及び払い出し（出金）を行う。
【００４１】
万券スタッカ１６は、万券（一万円札）を収納（入金）及び払い出し（出金）を行う。
【００４２】
紙幣処理部１０には紙幣収納カセット（スタッカ）１４〜１６が実装される。紙幣収納カセット１４〜１６にはリジェクトカセットとしてのリジェクトスタッカ（ＲＪ券スタッカ）１４と、２枚以上の紙幣放出／収納が可能な金種カセットとしての千券スタッカ１５と、万券スタッカ１６とが実装される。
リジェクトスタッカ１４は、紙幣の収納（入金）のみが許可され、出金時に各スタッカから繰り出された紙幣の金種が特定出来なかった不明紙幣や、入金時に収納可能な金種スタッカが割り当てられていない金種の紙幣及び、金種スタッカに収納できないほど状態の悪い紙幣（シワ、破れ、汚れ等）が収納される。
リジェクトスタッカ１４、各金種スタッカ１５、１６にはそれぞれセンサ（ニアフルセンサともいう：例えば透過型フォトインタラプタもしくは反射型フォトインタラプタが用いられ、紙幣がスタッカ内に殆ど充填状態になったか否かを判断する）が１個以上設置されており、それらのセンサを紙幣が通過したか否かでその時点の入金可能枚数を判定できるようになっている。
【００４３】
紙幣処理部１０は、出金・入金の都度、計数情報、センサ情報を後述する管理センター４０（図４参照）に発生する。
【００４４】
図４は、図１に示した紙幣処理装置を用いた現金自動取引装置を含むＡＴＭシステムの概念図である。
図４において、現金自動取引装置１００は、紙幣処理装置１０と本体ＣＰＵ２０とで構成されており、本体ＣＰＵ２０は、ＤＩＳＫ内カウンタ２１と、ＣＰＵ２２とを有する。
現金自動取引装置１００は管理センター４０内のＣＰＵ４１に接続されている。ＣＰＵ４１は表示部や操作部等の各種装置に接続されている。
【００４５】
現金自動取引装置１００は、紙幣処理部１０より取得した現金計数情報と、図には示されていないセンサより取得したセンサ情報とに基づいて各種計算を実施するようになっている。計算結果として紙幣補充タイミングまたは紙幣回収タイミングを判定し、管理センター４０に通知する。
【００４６】
（動作の説明）
＜リジェクト収納された紙幣枚数の判断（図１参照）＞
図示しない顧客が接客部１２に３枚の万券（１万円札）Ｍ１〜Ｍ３を投入した際、１枚（例えばＭ１）は良紙幣であって金種スタッカ（万券スタッカ１６）に収納され、残りの２枚（この場合、Ｍ２、Ｍ３）は不良紙幣であったためリジェクトスタッカ１４に収納されたものとする。
この時、顧客投入枚数（万券３枚）と金種スタッカ収納枚数とは判断できるので、数式（１）よりリジェクトスタッカ収納枚数を判断出来る。
顧客投入枚数−金種スタッカ収納枚数＝リジェクトスタッカ収納枚数……（１）
【００４７】
＜繰出時（出金紙幣）に重送が発生した場合の紙幣枚数の判断（図２参照）＞
図示しない顧客が接客部１２で払い出し要求操作を行い、金種スタッカ（本実施形態では万券スタッカ１６）から３枚の１万円紙幣Ｍ４〜Ｍ６が正常に繰り出され、１万円札Ｍ７、Ｍ８の重送が一回発生したものとする。
この時、数式（２）のように重送回数に係数（実験により統計的に導き出す。本実施の形態では重送時は平均１．７枚（発明者の実験データに基づく数値）の繰り出しとする）を掛け、スタッカ内の紙幣の枚数から引くことにより（数式（２）参照）スタッカ内の残量をより正確に把握できる。
尚、重送を生じた１万円札Ｍ７、Ｍ８はＲＪ券スタッカ１４に収納される。
【００４８】
金種スタッカ内枚数−正常繰り出し枚数(３枚)−(重送回数(１枚)×係数(１．７))
＝繰出後金種スタッカ内枚数                                                    ……（２）
【００４９】
＜収納可能枚数の判断（図３参照）＞
金種（又はリジェクト）スタッカ内の最大容量を官封券（よれの発生していない紙幣）で２８００枚であったとする。
センサ位置は、２００枚の官封券（紙幣）を受け入れる余地のある位置にあったとする。
紙幣がよれて厚みが増していたため、ソフト的な紙幣枚数が２０００枚でセンサを通過したとする。この時、以下の数式（３）のような計算を実施する。
厚み補正係数
＝(スタッカ最大容量(２８００枚)−センサ位置(２００枚))÷スタッカ内紙幣枚数(２０００)……（３）
この数式（３）の計算で厚み補正枚数は１．３となる。
その後、１００枚の紙幣が金種スタッカに収納された時、入金可能枚数を以下の数式（４）のように求める。
入金可能枚数
＝スタッカ最大容量(２８００枚)−(スタッカ内紙幣枚数(２１００枚)×１．３)……（４）
この数式（４）の計算で入金可能枚数は７０枚となる。
この結果、センサ通過後、１００枚入金された段階でも紙幣のよれによる厚みを考えた上での入金可能枚数が算出可能となる。
【００５０】
図５に、図４に示したＡＴＭシステムの動作シーケンスを示す。
紙幣処理部のセンサが紙幣の枚数増加もしくは枚数減少を検知すると（センサヒット）、ＣＰＵに検知信号を送る。ＣＰＵがセンサからの信号を受けるとＤＩＳＫにカウンタ情報要求信号を送る。ＤＩＳＫはＣＰＵからカウンタ情報要求信号を受けるとカウンタ情報を送る。ＣＰＵはＤＩＳＫからカウンタ情報を取得すると、計算された入金可能枚数、出金可能枚数が、閾値（設定可能枚数）を超えた場合、センタに通知する。
【００５１】
表１はＤＩＳＫ内のカウンタイメージを示す表である。
ＤＩＳＫ内には、千券スタッカ、万券スタッカ、及びＲＪスタッカの装填枚数、出金枚数、及び入金枚数が例えばｔｘｔ形式で保存される。
【表１】
2008071277.tif 000003
【００５２】
以上において、本実施形態によれば、金種スタッカ内の出金可能枚数、リジェクトスタッカ内の出金可能枚数、及び入金可能枚数を正確に把握することが可能となる。これにより、より適切な補充タイミング及び回収（又は金庫交換）のタイミングを把握でき、長時間稼働(サービス向上)＋警送回数の減少(運用コスト減)を行うことができる。
【００５３】
＜プログラム及び記憶媒体＞
以上で説明した本発明に係る紙幣処理装置及び現金自動取引装置は、コンピュータで処理を実行させる紙幣処理プログラム、現金自動取引プログラムによって実現されている。コンピュータとしては。例えばパーソナルコンピュータやワークステーションなどの汎用的なものが挙げられるが、本発明はこれに限定されるものではない。
【００５４】
これにより、紙幣処理プログラム、現金自動取引プログラムが実行可能なコンピュータ環境さえあれば、どこにおいても本発明に係る紙幣処理装置、現金自動取引装置を実現することができる。
このような紙幣処理プログラム、現金自動取引プログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【００５５】
なお、上述した実施の形態は、本発明の好適な実施の形態の一例を示すものであり、本発明はそれに限定されることなく、その要旨を逸脱しない範囲内において、種々変形実施が可能である。
【図面の簡単な説明】
【００５６】
【図１】本発明に係る紙幣処理方法を適用した紙幣処理装置の一実施の形態を示す構成図である。
【図２】図１に示した紙幣処理装置の出金時、万券スタッカから正常に３枚繰り出され、１回重送があった状態を示す図である。
【図３】図１に示した紙幣処理装置のスタッカのセンサを紙幣が通過する様子を示す図である。
【図４】図１に示した紙幣処理装置を用いた現金自動取引装置を含むＡＴＭシステムの概念図である。
【図５】図４に示したＡＴＭシステムの動作シーケンス図である。
【符号の説明】
【００５７】
１０    紙幣処理部
１１    一時保留部
１２    接客部
１３    認識部
１４    ＲＪ券スタッカ
１５    千券スタッカ
１６    万券スタッカ
２０    本体ＣＰＵ
２１    ＤＩＳＫ内カウンタ
２２、４１    ＣＰＵ
４０    管理センター
１００    現金自動取引装置
【図１】
2008071277.tif 000004
【図２】
2008071277.tif 000005
【図３】
2008071277.tif 000006
【図４】
2008071277.tif 000007
【図５】
2008071277.tif 000008